(57)【要約】【課題】本発明は、ロータリ圧縮機及びその制御方法、並びにこれを利用した空気調和機に関する。【解決手段】本発明によるロータリ圧縮機は、相互に区画された第１圧縮室及び第２圧縮室を形成し、第１圧縮室及び第２圧縮室に形成された第１ベーンスロット及び第２ベーンスロットを有するシリンダと、第１圧縮室及び第２圧縮室内でそれぞれ回転し被圧縮媒体を圧縮する第１ローラ及び第２ローラとを有し；第１圧縮室と第２圧縮室が同時に負荷運転される全負荷運転モード、又は第２圧縮室だけが負荷運転される部分負荷運転モードで運転されるロータリ圧縮機において、第１ベーンスロット内に出入り可能に収容される第１ベーンと；第１ベーンを第１ローラの外表面に接触又は離隔させ、第１圧縮室を負荷及び無負荷運転するベーン駆動部と；部分負荷運転モードで第１圧縮室を間欠的に負荷運転するようにベーン駆動部の駆動を制御する制御部とを含む。【選択図】図１
2008133820.tif 000002
【特許請求の範囲】
【請求項１】
相互に区画された第１圧縮室及び第２圧縮室を形成し、前記第１圧縮室及び前記第２圧縮室に形成された第１ベーンスロット及び第２ベーンスロットを有するシリンダと、前記第１圧縮室及び前記第２圧縮室内でそれぞれ回転して被圧縮媒体を圧縮する第１ローラ及び第２ローラとを有し、前記第１圧縮室と前記第２圧縮室とが同時に負荷運転される全負荷運転モードと、前記第２圧縮室のみが負荷運転される部分負荷運転モードとで運転可能なロータリ圧縮機において、
前記第１ベーンスロット内に制御可能に収容される第１ベーンと、
前記第１ベーンを前記第１ローラの外表面に接触又は離隔させ、前記第１圧縮室を負荷運転又は無負荷運転するベーン駆動部と、
前記部分負荷運転モードで前記第１圧縮室を間欠的に負荷運転するように、前記ベーン駆動部の駆動を制御する制御部とを含むことを特徴とするロータリ圧縮機。
【請求項２】
前記制御部は、前記第１ベーンが一定の周期に従って前記第１ローラの外表面に接触又は離隔するように、前記ベーン駆動部の駆動を制御することを特徴とする請求項１に記載のロータリ圧縮機。
【請求項３】
前記シリンダから吐出される被圧縮媒体の温度を測定する温度感知部をさらに含み、
前記制御部は、前記温度感知部の信号に基づいて前記ベーン駆動部の駆動を制御することを特徴とする請求項１または２に記載のロータリ圧縮機。
【請求項４】
前記ベーン駆動部は、
前記第１ベーンスロットと連通する連結管と、
前記連結管と連通して前記シリンダから吐出される被圧縮媒体の一部が流動する高圧管と、
前記連結管と連通して前記各圧縮室に流入する被圧縮媒体の一部が流動する低圧管と、
前記連結管に設けられ、前記高圧管及び前記低圧管を前記連結管に選択的に連通させる流路転換バルブとを含むことを特徴とする請求項１に記載のロータリ圧縮機。
【請求項５】
前記制御部は、前記第１圧縮室の負荷運転モードで前記高圧管と前記連結管とが連通するように前記流路転換バルブを制御し、前記第１圧縮室の無負荷運転モードで前記低圧管と前記連結管とが連通するように前記流路転換バルブを制御することを特徴とする請求項４に記載のロータリ圧縮機。
【請求項６】
請求項１乃至５のうちのいずれか一項に記載のロータリ圧縮機と、
前記ロータリ圧縮機から圧縮された被圧縮媒体を室外空気と熱交換する凝縮器と、
前記凝縮器から凝縮された被圧縮媒体を減圧させる膨脹部と、
前記膨脹部から膨脹された被圧縮媒体を室内空気と熱交換する蒸発器と、
前記蒸発器から蒸発された被圧縮媒体の気液を分離して、気体状態の前記被圧縮媒体を前記ロータリ圧縮機に提供するアキュムレータとを含むことを特徴とする空気調和機。
【請求項７】
相互に区画された第１圧縮室及び第２圧縮室を形成するシリンダを有し、前記第１圧縮室と前記第２圧縮室が同時に負荷運転される全負荷運転モードと、前記第２圧縮室のみが負荷運転される部分負荷運転モードとで運転可能なロータリ圧縮機の制御方法において、
前記第２圧縮室を負荷運転する段階と；
前記部分負荷運転モードで前記第１圧縮室を間欠的に負荷運転する段階とを含むことを特徴とするロータリ圧縮機の制御方法。
【請求項８】
前記第１圧縮室は、前記部分負荷運転モードで一定の周期に従って負荷運転されることを特徴とする請求項７に記載のロータリ圧縮機の制御方法。
【請求項９】
前記部分負荷運転モードで前記シリンダから吐出される被圧縮冷媒の温度を測定する段階をさらに含み、
前記被圧縮冷媒の温度が所定の温度以上であれば、前記第１圧縮室を間欠的に負荷運転することを特徴とする請求項７または８に記載のロータリ圧縮機の制御方法。
【発明の詳細な説明】
【技術分野】
【０００１】
本発明は、ロータリ圧縮機及びその制御方法、並びにこれを利用した空気調和機に関し、より詳しくは、部分負荷運転の際に間欠的に負荷運転を行って圧縮機の効率を向上させるロータリ圧縮機及びその制御方法、並びにこれを利用した空気調和機に関する。
【背景技術】
【０００２】
一般に、空気調和機に適用される冷却装置は、冷却能力を可変させることによって要求条件に応じた最適な冷却を行うと同時に、エネルギー節減を目的として冷媒の圧縮能力を可変させるように構成された容量可変型ロータリ圧縮機を採用している。
【０００３】
従来の容量可変型ロータリ圧縮機は、特許文献１に開示されている。
【０００４】
従来の容量可変型ロータリ圧縮機は、被圧縮媒体を圧縮する第１圧縮空間及び第２圧縮空間を形成し、内壁面に第１ベーンスロット及び第２ベーンスロットがそれぞれ形成された第１シリンダ及び第２シリンダと、各シリンダの圧縮空間で回転軸に偏心した状態で結合され旋回運動する第１ローリングピストン及び第２ローリングピストンと、各ベーンスロットに設けられローリングピストンに圧接して、ローリングピストンと共に冷媒を吸入圧縮する第１ベーン及び第２ベーンとを有する。
【０００５】
一方、従来の容量可変型ロータリ圧縮機は、第１圧縮空間及び第２圧縮空間で同時に被圧縮媒体を圧縮させる全負荷運転と、第２圧縮空間を無負荷運転するように第２圧縮空間で第２圧縮空間に作用する圧力より相対的に低い吸入圧力を第２ベーンに印加して、第１圧縮空間でのみ被圧縮媒体が圧縮される部分負荷運転とを行なっていた。
【０００６】
そして、ロータリ圧縮機が稼動される際に、密閉されたケーシングの内部は吐出口を通じて排出される圧縮ガスによって高圧に保持され、ケーシング内部の圧縮ガスはケーシングの上部に設けられたガス吐出管を通じて外部に案内される。
【０００７】
ところが、このような従来のロータリ圧縮機においては、圧縮機の運転の際にケーシングの内部が高圧に保持されるので、圧縮機の部分負荷運転の持続される場合、ケーシング内部の高圧ガスが回転軸と第２ローリングピストンとの間から相対的に低圧を保持している第２圧縮空間に漏洩されて第２シリンダの第２吸入口を通じて逆流するので、アキュムレータの温度が上昇し、結果的に圧縮機の効率が低下するだけでなく、部分負荷運転中にシリンダの温度が上昇するという問題点がある。
【特許文献１】韓国特許第１０−０６２００４４号明細書
【発明の開示】
【発明が解決しようとする課題】
【０００８】
そこで、本発明の目的は、部分負荷運転を改善することにより、部分負荷運転によるシリンダの温度上昇を抑制し、圧縮機の部分負荷効率が上げられるロータリ圧縮機及びその制御方法、並びにこれを利用した空気調和機を提供することにある。
【課題を解決するための手段】
【０００９】
上記目的を達成するために、本発明は、相互に区画された第１圧縮室及び第２圧縮室を形成し、第１圧縮室及び第２圧縮室に形成された第１ベーンスロット及び第２ベーンスロットを有するシリンダと、第１圧縮室及び第２圧縮室内でそれぞれ回転し、被圧縮媒体を圧縮する第１ローラ及び第２ローラとを有し；第１圧縮室と第２圧縮室が同時に負荷運転される全負荷運転モードと、第２圧縮室だけが負荷運転される部分負荷運転モードで運転可能なロータリ圧縮機において、第１ベーンスロット内に出入り可能に収容される第１ベーンと；第１ベーンを第１ローラの外表面に接触又は離隔させ、第１圧縮室を負荷又は無負荷運転するベーン駆動部と；部分負荷運転モードで第１圧縮室を間欠的に負荷運転するようにベーン駆動部の駆動を制御する制御部とを含むことを特徴とするロータリ圧縮機を提供する。
【００１０】
この一実施形態の制御部は、第１ベーンが一定の周期に従って第１ローラの外表面に接触又は離隔するようにベーン駆動部の駆動を制御可能とされる。
【００１１】
また、他の実施形態として、シリンダから吐出される被圧縮媒体の温度を測定する温度感知部をさらに含み、制御部は温度感知部の信号に基づいてベーン駆動部の駆動を制御することができる。
【００１２】
一方、ベーン駆動部は、第１ベーンスロットと連通する連結管と、連結管と連通してシリンダから吐出される被圧縮媒体の一部が流動する高圧管と、連結管と連通して各圧縮室に流入する被圧縮媒体の一部が流動する低圧管と、連結管に設けられ高圧管と低圧管を連結管に選択的に連通させる流路転換バルブとを含むことが好ましい。
【００１３】
そして、制御部は、第１圧縮室の負荷運転で高圧管と連結管とが連通するように流路転換バルブを制御し、第１圧縮室の無負荷運転で低圧管と連結管とが連通するように流路転換バルブを制御することが好ましい。
【００１４】
本発明の目的は、上記の如く構成されたロータリ圧縮機と；ロータリ圧縮機から圧縮された被圧縮媒体を室外空気と熱交換する凝縮器と；凝縮器から凝縮された被圧縮媒体を減圧させる膨脹部と；膨脹部から膨脹された被圧縮媒体を室内空気と熱交換する蒸発器と；蒸発器から蒸発された被圧縮媒体の気液を分離し、気体状態の被圧縮媒体をロータリ圧縮機に提供するアキュムレータとを含むことを特徴とする空気調和機によっても達成される。
【００１５】
また、上記目的は、本発明の他の分野によれば、相互に区画された第１圧縮室及び第２圧縮室を形成するシリンダを有し、第１圧縮室及び第２圧縮室が同時に負荷運転される全負荷運転モードと、第２圧縮室のみが負荷運転される部分負荷運転モードとで運転可能なロータリ圧縮機の制御方法において、第２圧縮室を負荷運転する段階と；部分負荷運転モードで第１圧縮室を間欠的に負荷運転する段階とを含むことを特徴とするロータリ圧縮機の制御方法によっても達成される。
【００１６】
この一実施形態では、部分負荷運転モードで第１圧縮室は一定の周期に従って負荷運転可能とされる。
【００１７】
また、他の実施形態として、部分負荷運転モードでシリンダから吐出される被圧縮冷媒の温度を測定する段階をさらに含み、被圧縮冷媒の温度が所定の温度以上であれば、第１圧縮室を間欠的に負荷運転可能とされる。
【発明の効果】
【００１８】
本発明によれば、部分負荷運転を改善することによって、部分負荷運転によるシリンダの温度上昇を抑制し、圧縮機の部分負荷効率を高めるロータリ圧縮機及びその制御方法、並びにこれを利用した空気調和機が提供される。
【発明を実施するための最良の形態】
【００１９】
以下、添付図面を参照しながら本発明の好ましい実施形態について詳細に説明する。
【００２０】
種々の実施形態において、同一の構成を有する構成要素に対しては同一の符号を付けて代表的に一実施形態で説明し、それ以外の実施形態では一実施形態と異なる構成についてのみ説明する。
【００２１】
本発明の一実施形態によるロータリ圧縮機は、図１に示すように、密閉されたケーシング９の内側上部に設置された電動要素１０と、ケーシング９の内側下部に設置され、電動要素１０の回転軸１１と連結された圧縮要素２０とを備える。
【００２２】
電動要素１０は、回転軸１１と、ケーシング９の内面に固定された円筒形固定子１２と、固定子１２の内部に回転可能に設置され、中心部が回転軸１１に結合された回転子１３とを含む。電動要素１０は、電力を供給され、回転子１３が回転することによって回転軸１１により連結された圧縮要素２０を駆動させる。
【００２３】
圧縮要素２０は、相互に区画された上部の第１圧縮室３１及び下部の第２圧縮室３２を備えたシリンダ３０と、第１圧縮室３１及び第２圧縮室３２内にそれぞれ設けられ、回転軸１１によって動作する第１圧縮ユニット４０及び第２圧縮ユニット５０とを含む。
【００２４】
シリンダ３０は、第１圧縮室３１が形成された上部の第１ボディー３３と、第２圧縮室３２が形成されて第１ボディー３３の下部に設置された第２ボディー３４と、第１圧縮室３１及び第２圧縮室３２の区画のために第１ボディー３３と第２ボディー３４との間に設置された中間板３５と、第１圧縮室３１の上側開口と第２圧縮室３２の下側開口とを閉鎖すると同時に、回転軸１１を支持するように第１ボディー３３の上部及び第２ボディー３４の下部にそれぞれ装着された第１フランジ３６及び第２フランジ３７とを含む。回転軸１１は、第１圧縮室３１及び第２圧縮室３２の中心を貫通し、第１圧縮室３１及び第２圧縮室３２内部の圧縮ユニット４０、５０に連結される。
【００２５】
第１圧縮ユニット４０及び第２圧縮ユニット５０は、第１圧縮室３１及び第２圧縮室３２の回転軸１１にそれぞれ設けられた第１偏心部４１及び第２偏心部５１と、第１圧縮室３１及び第２圧縮室３２の内壁面と接した状態で回転するように、第１偏心部４１及び第２偏心部５１の外面にそれぞれ回転可能に結合された第１ローラ４２及び第２ローラ５２とを含む。第１偏心部４１及び第２偏心部５１は、バランスを保持するように偏心方向が互いに反対方向に配置される。ここで、第１ローラ４２及び第２ローラ５２は、第１圧縮室３１及び第２圧縮室３２内部で偏心回転し、被圧縮媒体を圧縮する。
【００２６】
また、第１圧縮ユニット４０及び第２圧縮ユニット５０は、第１ローラ４２及び第２ローラ５２の回転によって各圧縮室３１、３２の径方向で進退する状態で各圧縮室３１、３２を区切る第１ベーン４３及び第２ベーン５３を含む。第１ベーン４３及び第２ベーン５３は、図１及び図２に示すように、各圧縮室３１、３２の内壁面に径方向で凹状となるように形成された第１ベーンスロット４４及び第２ベーンスロット５４に収容されることによって、第１ベーン４３及び第２ベーン５３の進退が案内される。第１ベーン４３及び第２ベーン５３は、第１ローラ４２及び第２ローラ５２の外表面にそれぞれ接触し、第１圧縮室３１及び第２圧縮室３２を区切る。
【００２７】
一方、第１ボディー３３及び第２ボディー３４には、第１ベーン４３及び第２ベーン５３を収容し、且つ、第１ベーン４３及び第２ベーン５３が出入り可能に案内する第１ベーンスロット４４及び第２ベーンスロット５４が形成されている。
【００２８】
第１ベーンスロット４４は、第１圧縮室３１の内壁面で第１ベーン４３の厚さと略同一の厚さを有し、径方向且つ外側に向かって凹状に形成される。また、第１ベーン４３の後端と接する第１ベーンスロット４４の径方向且つ外側には、第１ベーン４３が完全に後退する際に第１ベーン４３を付着させて固定することによって、第１ベーン４３の揺れを防止する磁石４７が設けられている。ここで、第１ベーン４３の後端を曲面の断面形状に形成することが好ましく、これによって第１ベーン４３が後退する際に第１ベーン４３の後端が磁石４７に容易に密着できるようになる。
【００２９】
一方、本発明は、第１ベーン４３の後方に吸入圧力を印加することによって第１ベーン４３を後退させた状態で拘束するか、または第１ベーン４３の後方に吐出圧力を印加することによって第１ベーン４３の進退が行われるようにするベーン駆動部６０を含む。ベーン駆動部６０は、このような方式で第１ベーン４３を拘束するか、拘束を解除することによって、第１圧縮室３１で圧縮または空回転が行われるようにして、つまり、第１圧縮室３１で負荷運転または無負荷運転が行われるようにして、圧縮容量を可変にする。このようなベーン駆動部６０の具体的な構成及び動作については後述する。
【００３０】
第２ベーンスロット５４は、第２圧縮室３２の内壁面で外側に向かって陥没形成されて第２ベーン５３を案内する第２ベーンガイド５６と、第２ベーン５３が第２圧縮室３２を区切るように第２ベーン５３を第２ローラ５２に加圧するベーンスプリング５５が設けられるベーンスプリング収容部５７とで形成される。
【００３１】
一方、第１ボディー３３及び第２ボディー３４には、第１圧縮室３１及び第２圧縮室３２の内部に低圧の被圧縮媒体が流入できるように吸入管７１、７２と連結される吸入口７３と、各圧縮室３１、３２の内部で圧縮された高圧の被圧縮媒体がケーシング９の内部に吐出される吐出口７５、７６とが形成される。これにより、ロータリ圧縮機８が駆動される際にケーシング９の内部は吐出口７５、７６を通じて排出される被圧縮媒体によって高圧に保持され、ケーシング９の内部の被圧縮媒体はケーシング９の上部に備えられた吐出配管７７を通じて外部に案内される。
【００３２】
吸入される被圧縮媒体はアキュムレータ７８を経た後、吸入管７１、７２を通じて各圧縮室３１、３２の吸入口７３に案内される。
【００３３】
ベーン駆動部６０は、図１に示すように、第１ベーンスロット４４と連通する連結管６１と、連結管６１と連通してケーシング９から吐出される被圧縮媒体の一部が流動する高圧管６２と、連結管６１及び吸入配管７０と連通し、各圧縮室３１、３２に流入する被圧縮媒体の一部が流動する低圧管６３と、連結管６１と連通し、高圧管６２又は低圧管６３を連結管６１に選択的に連通させる流路転換バルブ６４とを有する。
【００３４】
流路転換バルブ６４は、連結管６１、高圧管６２、及び低圧管６３が連結される地点に設置される電動式３方バルブである。連結管６１の出口は第１フランジ３６に連結され、第１フランジ３６には連結管６１と第１ベーンスロット４４とを連通させる連通油路３６ａが形成されている。
【００３５】
一方、本発明によるロータリ圧縮機８は、部分負荷運転モードで第１圧縮室３１を周期的に負荷運転するようにベーン駆動部６０の駆動を制御する制御部８０を有する。図５に示すように、制御部８０は、第１ベーン４３が一定の周期に従って第１ローラ４２の外表面に接触又は離隔するようにベーン駆動部６０の駆動を制御する。制御部８０は、部分負荷運転中に高圧管６２と連結管６１とが連通するように、流路転換バルブ６４を一定の周期Ｔｂに従って所定の時間Ｔａの間に開放させて第１ベーン４３の後方に被圧縮媒体の吐出圧力を印加し、第１圧縮室３１及び第２圧縮室３２で１００％の圧縮作用が発生する全負荷運転を行う。つまり、本発明によるロータリ圧縮機８の制御部８０は、部分負荷運転中にベーン駆動部６０から第１ベーン４３の後方に被圧縮媒体の吐出圧力と吸入圧力を交互的に印加し、第１ベーン４３を第１ローラ４２の外表面に接触又は離隔させることによって、第１圧縮室３１を周期的に負荷運転又は無負荷運転させる。
【００３６】
そして、本発明によるロータリ圧縮機８は、空気調和機の回路を構成している。すなわち、空気調和機は、本発明によるロータリ圧縮機８と、圧縮機８から吐出された被圧縮媒体を室外側の空気と熱交換する凝縮器３と、凝縮された被圧縮媒体を減圧させる膨張部５と、膨脹された被圧縮媒体と室内空気を熱交換する蒸発器７と、蒸発された被圧縮媒体の気液を分離して気体状態の被圧縮媒体を圧縮機８に供給するアキュムレータ７８とによって形成される。
【００３７】
以下、本発明によるロータリ圧縮機８の作動過程について、図面を参照して説明する。
【００３８】
図１及び図２に示すように、高圧管６２が連結管６１と連通するように流路転換バルブ６４を開放する際には、第１ベーン４３の後方に吐出圧力が加えられる。このとき、第１ベーン４３が吐出圧力によって第１圧縮室３１の方に押されるので、第１ベーン４３が第１ローラ４２の外表面に接触し、第１ローラ４２が偏心回転することによって、第１ベーン４３は進退する。一方、図３及び図４に示すように、低圧管６３が連結管６１と連通するように流路転換バルブ６４が開放される際には、第１ベーン４３の後方に吸入圧力が加えられる。このとき、第１ベーン４３が後退した状態で止められるので、第１圧縮室３１で空回転が行われる。第１ベーン４３が後退して停止（拘束）される際には、第１ベーン４３の後端が磁石４７に付着されるので、第１ベーン４３の揺れが防止される。つまり、第１圧縮室３１の内で空回転をする第１ローラ４２の動作によって第１圧縮室３１で圧力の変化が生じる場合にも、第１ベーン４３の流動が生じず静かな動作が成り立つ。
【００３９】
本発明は、上記の如く、ベーン駆動部６０を通じて第１ベーン４３の拘束を制御することによって第１圧縮室３１の方で圧縮または空回転が行われて、これを通じて圧縮容量を変化させることができる。すなわち、第１ベーン４３の後方に吐出圧力を印加し、第１ベーン４３を第１ローラ４２の外表面に接触させて、第１ベーン４３の進退が行なわれると、第１圧縮室３１及び第２圧縮室３２の両方で圧縮動作が行われるので、大容量の圧縮が行われて、本発明による圧縮機８は全負荷運転モードで運転される。一方、第１ベーン４３の後方に吸入圧力を印加することによって第１ベーン４３が拘束されると、すなわち第１ベーン４３を第１ローラ４２の外表面から離隔させると、第１圧縮室３１で空回転が行われ、これによって第２圧縮室３２においてのみ圧縮動作が行われるので圧縮容量は減少し、本発明による圧縮機８は部分負荷運転モードで運転される。
【００４０】
特に圧縮機８の部分負荷運転の際には、制御部８０は第１ベーン４３の後方に吐出圧力及び吸入圧力を一定の周期で交互に印加し、第１ベーン４３を第１ローラ４２の外表面に接触又は離隔させることによって、第１圧縮室３１は周期的に負荷又は無負荷運転される。
【００４１】
これによって、圧縮機８の部分負荷運転の際に回転軸１１と第１ローラ４２との間から第１圧縮室３１に漏洩された被圧縮媒体は、吸入口７３を通じて逆流せず、第１ローラ４２及び第１ベーン４３の作動によって圧縮され、吐出口７５を通じて周期的に吐出される。これによって、本発明の一実施形態によるロータリ圧縮機８は、図６に示すように、圧縮機８の部分負荷運転の際に部分負荷運転の時間が経過することによって従来のようにシリンダ３０の温度が上昇することなく、一定周期に従ってシリンダ３０の温度が下降し、これによってアキュムレータ７８の温度上昇を抑制し、圧縮機８の効率を上げるだけではなく、部分負荷運転の効率も向上させることができる。
【００４２】
一方、図７には本発明の他の実施形態によるロータリ圧縮機が示されている。本発明の他の実施形態によるロータリ圧縮機８’は、前述の実施形態とは異なり、ケーシング９から吐出される被圧縮冷媒の温度を測定する温度感知部８３をさらに含み、制御部８０は温度感知部８３の信号に基づいてベーン駆動部６０の駆動を制御する。
【００４３】
本発明の他の実施形態によるロータリ圧縮機８’の制御部８０は、部分負荷運転中にケーシング９から吐出される被圧縮媒体の温度によって、ベーン駆動部６０から第１ベーン４３の後方に被圧縮媒体の吐出圧力及び吸入圧力を交互に印加し、第１ベーン４３を第１ローラ４２の外表面に接触又は離隔させることによって、第１圧縮室３１を負荷又は無負荷運転させる。
【００４４】
すなわち、ケーシング９から吐出配管７７を通じて吐出される被圧縮冷媒の温度が所定の温度以上であれば、制御部８０は部分負荷運転中に高圧管６２と連結管６１とが連通するように流路転換バルブ６４を所定の時間の間に開放させ、第１ベーン４３の後方に被圧縮媒体の吐出圧力を印加し、第１圧縮室３１及び第２圧縮室３２で１００％の圧縮作用が発生する全負荷運転を行う。
【００４５】
これによって、部分負荷運転中に圧縮機８’の温度が上昇せずアキュムレータ７８の温度が下降するので、圧縮機８’の効率が上がるだけでなく負荷運転の効率も上がる。
【００４６】
このように、圧縮機の部分負荷運転中に間欠的に負荷運転を行うことによって、部分負荷運転によるシリンダの温度上昇を抑制し、圧縮機の部分負荷効率が上げられる。
【００４７】
一方、前述の一実施形態においては、圧縮機が部分負荷運転中に一定の周期に従って第１圧縮室が負荷運転又は無負荷運転されることを説明しているが、第１圧縮室を非周期的に負荷運転又は無負荷運転することもできる。
【００４８】
また、前述の実施形態においては、圧縮機が部分負荷運転中に一定の周期に従って第１圧縮室が負荷運転又は無負荷運転されるか、または圧縮機から吐出される被圧縮媒体の温度によって第１圧縮室が負荷運転又は無負荷運転されることと説明している。しかしながら、第１圧縮室を部分負荷運転中に周期的に負荷運転又は無負荷運転するか、又は圧縮機から吐出される被圧縮媒体の温度によって負荷運転又は無負荷運転することもできる。
【図面の簡単な説明】
【００４９】
【図１】本発明の一実施形態によるロータリ圧縮機の第１圧縮室で圧縮動作が行われる状態を示す垂直断面図である。
【図２】図１のＩＩ−ＩＩ線による水平断面図である。
【図３】本発明の一実施形態によるロータリ圧縮機の第１圧縮室で空回転が行われる状態を示す垂直断面図である。
【図４】図３のＩＶ−ＩＶ線による水平断面図である。
【図５】本発明の一実施形態によるロータリ圧縮機の制御状態図である。
【図６】本発明の一実施形態によるロータリ圧縮機の部分負荷運転時の時間に対するシリンダの温度変化線図である。
【図７】本発明の他の実施形態によるロータリ圧縮機の第１圧縮室で圧縮動作が行われる状態を示す垂直断面図である。
【符号の説明】
【００５０】
３  凝縮器
５  膨脹部
７  蒸発器
８  圧縮機
８’  圧縮機
９  ケーシング
１０  電動要素
１１  回転軸
１２  固定子
１３  回転子
２０  圧縮要素
３０  シリンダ
３１  第１圧縮室
３２  第２圧縮室
４０  第１圧縮ユニット
４２  第１ローラ
４３  第１ベーン
４４  第１ベーンスロット
５０  第２圧縮ユニット
５２  第２ローラ
５３  第２ベーン
５４  第２ベーンスロット
６０  ベーン駆動部
６１  連結管
６２  高圧管
６３  低圧管
６４  流路転換バルブ
７１  吸入配管
７２  吸入配管
７７  吐出配管
７８  アキュムレータ
８０  制御部
８３  温度感知部
【図１】
2008133820.tif 000003
【図２】
2008133820.tif 000004
【図３】
2008133820.tif 000005
【図４】
2008133820.tif 000006
【図５】
2008133820.tif 000007
【図６】
2008133820.tif 000008
【図７】
2008133820.tif 000009